(57)【要約】本発明は、農業用作業機などの作業機（３）に取り付けられた被ヒッチフレーム（９）と、動力取出部（２）を備えた農業用トラクタなどの車両（１）の牽引システム（６、７）に取り付けられたヒッチフレーム（８）と、離脱位置と係合位置との間で動かすことができ、垂直軸（ｚ）に沿った並進と「横」軸（ｙ）のまわりの自由な回転を可能とするフレーム（８、９）に取り付けられた連結部材（５０、５１）を有する伝達手段とを含むヒッチ装置に関する。さらに、事前位置決め手段は、離脱位置で、両方の連結部材（５０、５１）を垂直軸（ｚ）に沿った所定位置に維持し、係合位置で、垂直軸（ｚ）に沿って結合された連結部材の変位と、横軸（ｙ）のまわりの連結部材の傾斜とを可能にする。
2017506902.tif 000002
【特許請求の範囲】
【請求項１】
作業機を、動力取出部を備えた車両の牽引システムにつなぐためのヒッチ装置であって、
前記車両の前記牽引システムに取り付ける手段を備えたヒッチフレームと、前記作業機に取り付ける手段を備えた被ヒッチフレームとからなり、それぞれ前記車両と前記作業機に対して横方向に延在するように構成されており、それぞれペアリングを可能とするための接合面が設けられており、ペア位置で固定するための相対ロック手段をそれぞれ備える、２個のフレーム、および、
相補的な連結部材であって、前記２個のフレームの前記ペア位置で、離脱位置と係合位置の間で、該連結部材を、前記接合面に垂直な長手軸（ｘ）に沿って動かすように構成された相対変位手段によって、前記ヒッチフレームと前記被ヒッチフレームにそれぞれ取り付けられた、相補的な連結部材と、
前記連結部材を、前記車両の前記動力取出部と前記作業機の前記被駆動軸とに、それぞれ接続するための伝達部材と
を備える伝達手段、
を備え、
前記連結部材がそれぞれ、前記ヒッチフレームと前記被ヒッチフレームとに対して、
前記２個のフレームの前記接合面が、少なくとも実質的に垂直の平面内にある、前記２個のフレームの位置で、少なくとも実質的に垂直方向に延在する垂直軸（ｚ）に沿って並進可能で、かつ、
前記長手軸（ｘ）および前記垂直軸（ｚ）とともに直交座標系を構成する、横軸（ｙ）のまわりを回転可能であるように、
取り付けられ、
前記連結部材を垂直軸（ｚ）に沿って位置決めするための事前位置決め手段が、
前記連結部材が前記離脱位置にあるときに、前記連結部材のそれぞれを、前記２個のフレームの前記ペア位置での係合を可能とするように、前記垂直軸（ｚ）に沿った所定位置に維持し、
前記連結部材が係合位置にあるときに、連結後の前記連結部材の前記垂直軸（ｚ）に沿った変位、および、前記横軸（ｙ）のまわりの傾動を可能にするように、
構成されており、
前記伝達部材は、前記車両の前記動力取出部あるいは前記作業機の前記被駆動軸にそれぞれ接続するためのヒンジ部材を備え、かつ、前記連結部材のいずれかに一体に取り付けられている、長さ可変の伝達シャフトからなる、
ヒッチ装置。
【請求項２】
前記事前位置決め手段が、前記２個のフレームのそれぞれに取り付けられ、前記連結部材のそれぞれを、前記垂直軸（ｚ）に沿った所定位置に維持するように配置され、前記連結部材の事前位置決めを可能とするとともに、前記係合位置にあるときに弾性変形して、前記垂直軸（ｚ）に沿った前記連結部材の動きを可能にする、弾性手段からなる、請求項１に記載のヒッチ装置。
【請求項３】
前記連結部材の事前位置決め高さを最初に調整可能とするために、前記２個のフレームのそれぞれと、前記連結部材のそれぞれの事前位置決めのための前記弾性手段との間に、前記垂直軸（ｚ）に沿って挿入されるように構成されている、交換式スペーサ手段を備える、請求項２に記載のヒッチ装置。
【請求項４】
前記連結部材のそれぞれを回転可能に取り付けるための支持ブロックを備え、該支持ブロックのうちの少なくとも一方は、前記長手軸（ｘ）に沿った並進が固定された支持体と、前記長手軸（ｘ）に沿った並進が可能な支持体とに分割して構成されており、前記連結部材は、それぞれ対応する前記支持ブロック内に回転可能に取り付けられており、かつ、前記連結部材を相対変位させる手段が、前記可動支持体のそれぞれを並進させる手段からなる、請求項１〜３のいずれかに記載のヒッチ装置。
【請求項５】
前記支持ブロックの両方が、前記長手軸（ｘ）に沿った並進が固定された支持体と、前記長手軸（ｘ）沿った並進が可能な支持体とに分割して構成されており、
前記連結部材を相対変位させる手段が、
前記ヒッチフレームに取り付けられた前記連結部材の前記支持ブロックの前記可動支持体を移動させるための流体アクチュエータと、
前記被ヒッチフレームに取り付けられた前記連結部材の前記支持ブロックの前記可動支持体と前記固定支持体との間に位置決めされた弾性手段と、
により構成されている、請求項４に記載のヒッチ装置。
【請求項６】
前記支持ブロックのうち、前記ヒッチフレームに取り付けられた前記連結部材の前記支持ブロックのみが、前記長手軸（ｘ）に沿って並進が固定された支持体と、前記長手軸（ｘ）に沿った並進が可能な支持体とに分割して構成されており、
前記連結部材を相対変位させる手段が、流体アキュムレータと結合された流体アクチュエータにより構成されている、請求項４に記載のヒッチ装置。
【請求項７】
前記連結部材のそれぞれが、前記２個のフレームのうちの対応するフレームに対して、前記垂直軸（ｚ）のまわりを回転可能に取り付けられている、請求項１〜６のいずれかに記載のヒッチ装置。
【請求項８】
前記支持ブロックのそれぞれが、前記垂直軸（ｚ）および前記横軸（ｙ）のうちの一方のまわりを回転可能にその内側に取り付けられる環状ハウジングを備え、該環状ハウジングは、前記２個のフレームのうちの対応するフレームに対して、前記垂直軸（ｚ）に沿った並進を可能に、かつ、前記横軸（ｙ）または前記垂直軸（ｚ）のうちの他方のまわりを回転可能に配置されている、請求項４〜６のいずれかに従属する請求項７に記載のヒッチ装置。
【請求項９】
前記連結部材は、前記２個のフレームのうちの対応するフレームに対して、横軸（ｙ）に沿って並進可能に取り付けられており、
前記フレームは、前記横軸（ｙ）に沿って前記連結部材の両側に配置され、横応力のない状態で、前記連結部材を前記フレームに対して実質的に中心位置に維持する、弾性手段を備えている、
請求項１〜８のいずれかに記載のヒッチ装置。
【請求項１０】
前記支持ブロックのそれぞれが、前記環状ハウジングの内側で横軸（ｙ）のまわりを回転可能に取り付けられており、
前記環状ハウジングのそれぞれが、２本のピボットピンに対して、垂直軸（ｚ）のまわりを回転可能に取り付けられており、
前記２本のピボットピンは、
前記２個のフレームのうちの対応するフレームと一体で、垂直軸（ｚ）に沿って延在するカラム上に、摺動可能に取り付けられた２本の直立材を備えるフレーム構造の横架材に沿って、並進可能であり、
前記ピボットピンの両側に横架材のまわりに配置されたばねによって、前記２本の直立材の間の中心位置に維持される、
請求項８または９に記載のヒッチ装置。
【請求項１１】
前記連結部材の離脱位置で、前記被ヒッチフレームに取り付けられた前記連結部材の前記支持ブロックを、前記長手軸（ｘ）に関して少なくとも実質的に中心にある安定位置に維持する手段を備え、
該維持する手段は、
前記支持ブロックに対して前記長手軸（ｘ）に沿って移動可能で、前記支持ブロックに回転可能に接続された組立体であって、
前記環状ハウジングの両側に配置され、前記長手方向接続部材によって接続された、
前記連結部材が、該連結部材の係合位置に向けて移動させられたときに、前記ヒッチフレームに取り付けられた前記連結部材によって押されるように配置されている引き込み式フロントピースと、
前記連結部材が離脱位置にあるときに、前記環状ハウジングに対して隣接し当接して、前記可動組立体と前記支持ブロックが前記環状ハウジングに対して枢動することを防止し、前記連結部材が前記係合位置にあるときに、前記支持体ブロックが枢動することを可能にする距離だけ前記環状ハウジングから離間されるように配置された止め板と、
を備えた組立体と、
前記環状ハウジングに対する前記支持ブロックの回転安定化位置の方に、前記可動組立体を付勢し、前記ヒッチフレームに取り付けられた前記連結部材が、前記連結部材の前記係合位置の方に動くときに、前記可動組立体の動きを可能にするように配置された弾性手段と、
を含む、請求項１０に記載のヒッチ装置。
【請求項１２】
前記引き込み式フロントピースは、前記可動組立体の前記弾性手段によって、前記被ヒッチフレームに取り付けられた前記連結部材の前記支持ブロックの前記可動支持体から離れた位置に維持され、かつ、前記可動支持体に対して停止位置に押されるように配置されている、請求項１１に記載のヒッチ装置。
【請求項１３】
前記支持ブロックのそれぞれが、前記環状ハウジングの内側で垂直軸（ｚ）のまわりを回転可能に取り付けられ、
前記環状ハウジングのそれぞれが、前記２個のフレームのうちの対応するフレームに対して横軸（ｙ）のまわりを回転可能に取り付けられた２本の同軸支持シャフトを含み、該支持シャフトは、前記環状ハウジングの両側に前記同じ横軸（ｙ）に沿って横方向に延在しており、前記同軸支持シャフトそれぞれのまわりに、前記フレームに対して実質的に中心位置の方に前記環状ハウジングを付勢するためのばねが配置されている、請求項８または９に記載のヒッチ装置。
【請求項１４】
前記環状ハウジングのそれぞれは、フレーム構造内に配置されており、該フレーム構造は、前記環状ハウジング用に回転可能に取り付けられた支持体シャフトをそれぞれ有する直立材を備えており、前記直立材が、垂直軸（ｚ）に沿って延在し、前記対応するフレームと一体のレールに沿って摺動するように取り付けられている、請求項１３に記載のヒッチ装置。
【請求項１５】
前記連結部材が、フールプルーフを備えた噛合クラッチによって係合する連結部材からなる、請求項１〜１４のいずれかに記載のヒッチ装置。
【請求項１６】
前記連結部材が、結合歯を備える前面を有する連結リングにより構成される、請求項１５に記載のヒッチ装置。
【請求項１７】
前記引き込み式フロントピースが、前記被ヒッチフレームに取り付けられた前記連結部材の前記連結リングを取り囲むように構成された基部を有する雄型または雌型芯出しコーンからなり、
前記ヒッチフレームに取り付けられた前記連結部材が、前記連結部材の連結リングを取り囲む基部を有し、前記被ヒッチフレームの前記芯出しコーンと係合して押すように構成された雌型または雄型の相補芯出しコーンを備える、
請求項１１、１２、または１６に記載のヒッチ装置。
【請求項１８】
前記連結部材の一方の構成要素である連結リングを取り囲む基部を有し、前記連結部材を係合する際に前記他の連結部材を外側から案内して芯出しするように構成されている外側芯出しコーンを備える、請求項１６に記載のヒッチ装置。
【請求項１９】
前記連結部材の構成要素である連結リングの一方が、軸方向に延長する中央部と、該中央部から延在する内側芯出しコーンを備え、
前記連結リングの他方が、前記内側芯出しコーンと嵌合し、円錐形の長手方向ボアを形成し、前記内側芯出しコーンに案内され芯出しされるように構成された中空中央部を備える、請求項１６または１８に記載のヒッチ装置。
【請求項２０】
前記内側芯出しコーンが、前記連結リングの一方を延長して形成された、円筒形基部を備え、該円筒形基部が、前記連結リングの他方に形成された前記ボアの円筒形端部に対する円筒形軸受面を形成する、請求項１９に記載のヒッチ装置。
【請求項２１】
前記伝達シャフトのそれぞれが、
前記車両の前記動力取出部と前記作業機の前記被駆動軸にそれぞれ接続するためのヒンジ部材を備えた雄型要素と、
前記連結部材に設けられている雌型要素と、
の２個の伸縮自在要素からなる、伸縮自在シャフトである、請求項１〜２０のいずれかに記載のヒッチ装置。
【請求項２２】
前記雄型要素が、スプラインシャフトからなり、
前記雌型要素が、前記連結部材を構成する前記連結リングと一体の溝付きスリーブからなる、
請求項１６または２１に記載のヒッチ装置。
【発明の詳細な説明】
【技術分野】
【０００１】
本発明は、農業用作業機などの被駆動軸を備えた作業機を、動力取出部を備えた農業用トラクタなどの車両の牽引システムにつなぐためのヒッチ装置に関する。
【背景技術】
【０００２】
より具体的には、本発明は、特に、被駆動軸を備えた農業用作業機などの作業機を、動力取出部を備えた農業用トラクタなどの車両の牽引システムにつなぐためのヒッチ装置に関するが、このヒッチ装置は、
車両の牽引システムに取り付ける手段を備えたいわゆる「ヒッチ」フレームと、作業機に取り付ける手段を備えたいわゆる「被ヒッチ」フレームとからなり、前記ヒッチフレームおよび前記被ヒッチフレームはそれぞれ、前記車両と前記作業機に対して横方向に延在するように構成されており、前記ヒッチフレームと前記被ヒッチフレームのペアリングを可能にする接合面をそれぞれ備え、かつ、ペア位置で前記ヒッチフレームと前記被ヒッチフレームを固定するための相対ロック手段をそれぞれ有する、２個のフレーム、および、
相補的連結部材であって、前記２個のフレームの前記ペア位置で、離脱位置と係合位置の間で該相補的連結部材を移動させるように構成された、前記接合面に垂直ないわゆる「長手」軸（ｘ）に沿って、該相補的連結部材を相対変位させる手段によって、前記ヒッチフレームと前記被ヒッチフレームにそれぞれ取り付けられている、相補的連結部材と、
前記相補的連結部材を、前記車両の動力取出部と前記作業機の被駆動軸とにそれぞれ接続するための伝達部材と、
を有する伝達手段、
を備える。
【０００３】
農業の分野における、このようなヒッチ装置の用途は、農業用作業機を農業用トラクタの３点ヒッチシステムに自動的につなぐと同時に、該農業用トラクタのドライバがドライバ位置を離れることなく、該農業用トラクタの動力取出部に係合させることである。
【０００４】
この目的を達成するために、過去５０年にわたって、たとえば、ドイツ国特許第４１３２８８９号、米国特許第９３６７０８号、フランス国特許第２３４０６７５号、ドイツ国特許第２６２１６２号、オーストリア国特許第３７９０４８号、ドイツ国特許第３１４０９１７号、フランス国特許第２５５０９１０号、欧州特許第０１８６３８４号、欧州特許第０１９７０２６号、フランス国特許第２６０４３２７号、フランス国特許第２７１０４９０号、欧州特許第１５００３２１号、ＷＯ２００４／０７７９２８号、および、イギリス国特許第２４０８６６９号などにおいて、多くの解決策が提案されている。
【０００５】
しかしながら、このタイプのヒッチ装置が最初に提案されてからの経過年数と、このようなヒッチ装置に想定された利点にもかかわらず、このようなヒッチ装置の使用はきわめて限定的である。このようなきわめて低い使用実績は、主として、ヒッチフレームと被ヒッチフレームとを備え、それぞれのフレームが、それぞれの連結部材を取り付けて位置決めするための一体的な固定支持体を備えるという、ヒッチ装置の設計に起因する。このような設計により、実際に、以下のような問題が生ずる。
主に、被ヒッチフレームの支持体に取り付けられた連結部材と農業用作業機の被駆動軸とを接続する伝達部材のサイズに起因して、「汎用性」がきわめて低い。このため、農業用作業機の前記被ヒッチフレームと前記被駆動軸の間の長さが短い場合には、農業用作業機のそれぞれのモデルに対して、固有の被ヒッチフレームと伝達部材が必要になる。
主に、フレームごとに、該フレームと農業用トラクタの動力取出部あるいは農業用作業機の被駆動軸の間に設けられた、自在継手を備えたシャフトからなる伝達部材の性質に起因して、農業用トラクタに対する農業用作業機のさまざまな相対位置における正規な動力伝達を阻害する、不適切な伝達リンクが構成されてしまう。
【０００６】
本発明は、また、車両のドライバにドライバ位置を離れることなく、自動ヒッチング並びに動力取出部の係合を可能にするヒッチ装置に関し、その主たる目的は、ヒッチフレーム／被ヒッチフレームからなるそれぞれの組立体が、任意にペアリングされた車両／作業機、より具体的には任意にペアリングされた農業用トラクタ／農業用作業機に適用できるように設計されたヒッチ装置を提供し、車両に対する作業機のすべての相対位置における適切な動力伝達を保証することである。
【先行技術文献】
【特許文献】
【０００７】
【特許文献１】ドイツ国特許第４１３２８８９号
【特許文献２】米国特許第９３６７０８号
【特許文献３】フランス国特許第２３４０６７５号
【特許文献４】ドイツ国特許第２６２１６２号
【特許文献５】オーストリア国特許第３７９０４８号
【特許文献６】ドイツ国特許第３１４０９１７号
【特許文献７】フランス国特許第２５５０９１０号
【特許文献８】欧州特許第０１８６３８４号
【特許文献９】欧州特許第０１９７０２６号
【特許文献１０】フランス国特許第２６０４３２７号
【特許文献１１】フランス国特許第２７１０４９０号
【特許文献１２】欧州特許第１５００３２１号
【特許文献１３】ＷＯ２００４／０７７９２８号
【特許文献１４】イギリス国特許第２４０８６６９号
【発明の概要】
【課題を解決するための手段】
【０００８】
このような目的を達成するために、本発明は、上述のタイプのヒッチ装置に関し、該ヒッチ装置は、
車両の牽引システムに取り付ける手段を備えたヒッチフレームと、作業機に取り付ける手段を備えた被ヒッチフレームとからなる、２個のフレーム、および、
長手軸（ｘ）に沿った相対変位のための手段に取り付けられた相補的連結部材と、該連結部材を車両の動力取出部と作業機の被駆動軸にそれぞれ接続するための伝達部材を有する伝達手段、
を備え、および、本発明によれば、該ヒッチ装置は、
前記連結部材が、前記ヒッチフレームおよび前記被ヒッチフレームのそれぞれに、
前記フレームの接合面が少なくとも実質的に垂直の平面内にあるフレームの位置で、少なくとも実質的に垂直方向に延在する、いわゆる「垂直」軸（ｚ）に沿って移動可能に、かつ、
長手軸（ｘ）および垂直軸（ｚ）とともに直交座標系を構成する、いわゆる「横」軸（ｙ）のまわりを自由に回転できるように、
取り付けられており、
前記連結部材のそれぞれを、垂直軸（ｚ）に沿って位置決めするための事前位置決め手段が、
前記連結部材が離脱位置にあるときに、前記連結部材のそれぞれを、前記２個のフレームがペア位置で係合できるように、垂直軸（ｚ）に沿った所定位置に維持し、
前記連結部材が係合位置にあるときに、前記結合部材が結合状態で垂直軸（ｚ）に沿って変位し、かつ、横軸（ｙ）を中心に傾動できるように、
構成されており、
前記伝達部材は、自由に長さを変えることができ、かつ、前記車両の動力取出部と前記作業機の被駆動軸にそれぞれ接続するためのヒンジ部材を備えた伝達シャフトからなり、該伝達シャフトが前記連結部材のそれぞれと一体化することにより、前記連結部材のそれぞれに取り付けられている。
【０００９】
したがって、本発明によるヒッチ装置では、前記連結部材が、
最初に、前記２個のフレームのペア位置において前記連結部材の結合が可能となるように、事前位置決めされ、
前記結合後に、前記車両の動力取出部と前記作業機の被駆動軸にヒンジ結合され、ペア状態の前記２個のフレームに対して、垂直軸（ｚ）に沿って移動し、横軸（ｙ）を中心に傾動可能となり、前記連結部材および前記伝達シャフトからなる組立体に、作業機を車両のヒッチシステムに、特に農業用作業機を農業用トラクタの３点ヒッチシステムに直接つなぐように設計されたヒッチ装置と同様の動的動作を付与する単一接合部を構成するように、
設計される。
【００１０】
したがって、本発明の結合装置は、第１に、垂直軸（ｚ）に沿った前記連結部材のそれぞれの初期位置をただ調整することのみによって、ペア状態にある任意の機械装置／作業機、特にペア状態にある任意の農業用トラクタ／農業用作業機に適用することが可能となる、「自在」ヒッチ装置からなる。
【００１１】
第２に、その動力伝達は、車両に対する作業機の相対位置、特に、車両に対する作業機の傾斜角度に関係なく、最適化される。
【００１２】
本発明の好適な実施形態によれば、事前位置決め手段は、弾性手段を備え、該弾性手段は、前記フレームのそれぞれに取り付けられており、前記連結部材のそれぞれを垂直軸（ｚ）に沿った所定位置に維持し、前記連結部材を事前位置決めするように配置され、前記連結部材が係合位置にあるときに、弾性変形して、前記連結部材の垂直軸（ｚ）に沿った動きを可能にする。
【００１３】
基本的には、前記連結部材のそれぞれの初期位置は、前記弾性手段のばね定数を変更することによって調整される。しかしながら、好ましくは、本発明のヒッチ装置は、前記連結部材の事前位置決め高さを調整するために、前記フレームのそれぞれと、前記連結部材のそれぞれを事前位置決めする前記弾性手段との間に、垂直軸（ｚ）に沿って挿入可能に構成された、交換可能な離間手段を備える。
【００１４】
本発明の好適な実施形態によれば、前記連結部材のそれぞれは、前記フレームのそれぞれに対して、垂直軸（ｚ）のまわりを自由に回転できるように取り付けられている。
【００１５】
さらに、本発明の別の好適な実施形態によれば、前記連結部材のそれぞれは、前記フレームのそれぞれに対して、横軸（ｙ）に沿って自由に移動できるように取り付けられ、該フレームは、横軸（ｙ）に沿って前記連結部材の両側に配置され、横応力のない状態で、前記連結部材を前記フレームに対して実質的に該フレームの中心位置に維持する、弾性手段を備える。
【００１６】
これらの２つの自由度により、前記伝達手段が、農業用トラクタの３点ヒッチシステムなどのヒッチシステムと接触することにより通常生ずる横移動や揺動に起因する応力にさらされることが防止される。
【００１７】
さらに、これらの自由度により、作業機を車両につなぐことが可能となり、該作業機にオフボード・トランスミッション性を持たせることができる。
【００１８】
さらに、本発明の別の好適な実施形態によれば、前記連結部材のそれぞれは、支持ブロック内に回転可能に取り付けられ、前記支持ブロックの少なくとも１つは、長手軸（ｘ）に沿った方向に固定された支持体と、長手軸（ｘ）に沿って可動な支持体とに分割され、該支持ブロック内で、該支持ブロックに前記連結部材が回転可能に取り付けられ、該連結部材を相対変位させる手段は、前記支持体のそれぞれを並進運動させるための手段からなる。
【００１９】
さらに、第１の好適な変形実施形態によれば、前記支持ブロックの両方は、長手軸（ｘ）に沿った方向に固定された支持体と、長手軸（ｘ）に沿って可動な支持体とに分割される。この場合、前記連結部材を相対変位させる手段は、さらに、
前記ヒッチフレームに取り付けられた前記連結部材の前記支持ブロックの前記可動な支持体を移動させる流体アクチュエータと、
前記被ヒッチフレームに取り付けられた前記連結部材の前記支持ブロックの前記固定された支持体と前記可動な支持体の間に位置決めされた、弾性手段とを備える。
【００２０】
このような設計により、前記連結部材の一方を移動させるための前記流体アクチュエータと、前記連結部材の他方をその係合位置に向けて付勢するための前記弾性手段とが組み合わされて、前記伝達シャフトの長さの変化への対応が可能となる。
【００２１】
前記伝達シャフトの長さの変更に対する適応を可能にする、第２の有利な実施形態によれば、前記ヒッチフレームに取り付けられた前記連結部材の前記支持ブロックのみが、長手軸（ｘ）に沿って固定された前記支持体と、長手軸（ｘ）に沿って可動な前記支持体とに分割され、該連結部材の相対変位手段は、流体アキュムレータに取り付けられた流体アクチュエータからなる。
【００２２】
さらに、好適には、本発明によれば、前記支持ブロックのそれぞれは、環状ハウジング内において、垂直軸（ｚ）および横軸（ｙ）のうちの一方のまわりを自由に回転できるように取り付けられており、前記環状ハウジングは、前記フレームに対して、垂直軸（ｚ）に沿って可動で、かつ、垂直軸（ｚ）および横軸（ｙ）のうちの他方のまわりを自由に回転可能である。
【００２３】
上記の基本的構成および第１の好適な変形実施形態では、前記支持ブロックのそれぞれは、前記環状ハウジングの内側で、横軸（ｙ）のまわりを自由に回転できるように取り付けられ、前記環状ハウジングのそれぞれが、２本のピボットピンに対して、垂直軸（ｚ）のまわりを自由に回転できるように取り付けられており、該ピボットピンは、
前記フレームのうちの対応するフレームと一体で、かつ、垂直軸（ｚ）に沿って延在するコラムに、摺動可能に取り付けられた直立材を備えたフレーム構造の横架材の方向に沿って可動であり、
前記ピボットピンの両側で、前記横架材のまわりに配置されたばね手段によって、前記直立材の間の中心位置に維持される。
【００２４】
第１の好適な変形の実施形態では、本発明による結合装置は、さらに、前記連結部材の離脱位置で、前記被ヒッチフレームに取り付けられた前記連結部材の前記支持ブロックを、長手軸（ｘ）に対して少なくとも実質的に中心にある安定位置に維持するための手段を備え、該維持手段は、
前記支持ブロックに対して長手軸（ｘ）に沿って移動でき、前記支持ブロックに回転可能に接続された組立体であって、環状ハウジングの両側に配置され、長手方向接続部材によって接続された状態で、
前記ヒッチフレームに取り付けられた前記連結部材が前記連結部材の係合位置に移動したときに、移動中の前記ヒッチフレームに取り付けられた前記連結部材によって押圧されるように配置された、引き込み式フロントピースと、
前記連結部材が離脱位置にあるときには、前記環状ハウジングに対して隣接ないしは当接して、可動な該組立体と前記可能な支持体が前記環状ハウジングに対して枢動することを防止し、かつ、前記連結部材が係合位置にあるときには、前記支持体ブロックが枢動することを可能にする距離だけ前記環状ハウジングから離間されるように配置された、止め板と、
を備える組立体、および、
可動な前記組立体を前記環状ハウジングに対する支持ブロックの回転安定化位置の方に付勢し、前記ヒッチフレームに取り付けられた前記連結部材の前記連結部材の係合位置への動きに基づいて、前記組立体の動きを可能にするように配置された弾性手段、
を備える。
【００２５】
このような維持手段により、作業機の非ヒッチ位置において、前記被ヒッチフレームに取り付けられた前記連結部材が、長手軸（ｘ）に対して少なくとも実質的中心にある安定位置に維持され、これにより、ヒッチプロセスの際に、前記被ヒッチフレームに取り付けられた前記連結部材と、前記ヒッチフレームに取り付けられた前記連結部材との位置合わせ、および連結が保証される。
【００２６】
さらに、このような維持手段に関する好適な実施形態によれば、前記引き込み式フロントピースは、可動な前記組立体の前記弾性手段によって、前記被ヒッチフレームに取り付けられた前記連結部材の前記支持ブロックの前記可動な支持体から離れた位置に維持され、かつ、停止位置まで前記可動な支持体に押し当てられるように構成されている。
【００２７】
したがって、前記ヒッチフレームに取り付けられた前記連結部材を移動させる前記流体アクチュエータの展開によって、結果的に、
第１ステップで、前記引き込み式フロントピースが後退することにより、前記止め板が前記環状ハウジングから離れ、該止め板の停止作用がなくなり、
第２ステップで、前記弾性手段が圧縮することにより、前記被ヒッチフレームに取り付けられた前記連結部材の前記支持ブロックの前記可動な支持体のためのダンピング機能が提供される。
【００２８】
環状ハウジング内に支持ブロックを取り付ける機構に関する第２の好適な変形実施形態では、支持ブロックのそれぞれが、環状ハウジングの内側で垂直軸（ｚ）のまわりを自由に回転できるように取り付けられ、前記環状ハウジングのそれぞれが、対応するフレームに対して、横軸（ｙ）のまわりを自由に回転できるように取り付けられた２本の同軸支持体シャフトを備え、該支持体シャフトは前記環状ハウジングの両側で同一の横軸（ｙ）に沿って横方向に延在しており、該同軸支持体シャフトのそれぞれのまわりには、前記フレームに対して実質的に中心位置に向けて前記環状ハウジングを付勢するばねが取り付けられている。
【００２９】
さらに、本発明によれば、環状ハウジングのそれぞれは、フレーム構造内に好適に配置されており、該フレーム構造は、前記環状ハウジングに対して回転可能に取り付けられた支持体シャフトをそれぞれ有する直立材を備え、前記直立材は、垂直軸（ｚ）に沿って延在し、対応するフレームと一体のレールに沿って摺動するように取り付けられている。
【００３０】
また、本発明によれば、好適には、連結部材は、噛合クラッチによって係合する連結部材からなり、該連結部材は、車両の動力取出部と作業機の被駆動軸に接続するために、従来の自在継手などの前記連結部材の間の角度の一致を保証するフールプルーフィング（ポカヨケ機構）を備える。
【００３１】
好適には、本発明によれば、さらに、前記連結部材は、結合歯が備えられた前面を有する連結リングの形態を採る。
【００３２】
さらに、前記結合装置が、ヒッチング作業の際に、連結部材を一直線に揃えるために、前記被ヒッチフレームに取り付けられた前記連結部材の前記支持ブロックを維持するための手段を有するときには、好適には、本発明により、
前記維持手段の引き込み式フロントピースが、前記被ヒッチフレームに取り付けられた前記連結部材の前記連結リングを取り囲むように構成された基部を有する雄型または雌型の芯出しコーンからなり、
前記ヒッチフレームに取り付けられた前記連結部材が、該連結部材の前記連結リングを取り囲む基部を有し、前記被ヒッチフレームの前記芯出しコーンと係合し、かつ押すように構成された、雌型または雄型の相補的芯出しコーンを備える。
【００３３】
本発明のうち、連結部材の相対的変位の際にその位置合わせを保証するように意図された変形実施形態では、好適には、前記連結部材の一方が、該連結部材を構成する前記連結リングを取り囲む基部を有し、かつ、前記連結部材の係合の際に、前記連結部材の他方を外側から案内して芯出しするように構成されている、いわゆる「外側」芯出しコーンを備える。
【００３４】
同じ目的のため、本発明において好適には、前記連結部材を構成する前記連結リングの一方は、いわゆる「内側」芯出しコーンが軸方向に延在する中央部を備え、好適には、前記連結リングの他方が、前記内側芯出しコーンと係合する円錐形状の長手方向中心孔を有する中空中央部を備え、前記内側芯出しコーンを案内して芯出しするように構成される。
【００３５】
好ましくは、前記内側芯出しコーンは、前記連結リングの一方から延在し、前記連結リングの他方に備えられた前記中心孔の円筒形端部に対する円筒形軸受面が形成された、円筒形基部を備える。
【００３６】
このような円筒形軸受面は、連結のために車両の牽引システムを持ち上げなければならない場合（特に、伝達シャフトによって駆動される要素が地面にあり、２個の連結部材を連結するために地面から持ち上げられなければならない作業機の場合）、横軸のまわりの接合面の枢動によって前記連結部材が互いに離れる方向に動くことを防止するためのものである。
【００３７】
本発明の別の好適な実施形態によれば、前記伝達シャフトは、２個の伸縮自在要素からなる伸縮自在シャフトあり、該伸縮自在要素は、
前記車両の動力取出部と前記作業機の被駆動軸にそれぞれ接続するためのヒンジ部材を備えたいわゆる「雄型」要素と、
前記連結部材を構成するいわゆる「雌型」要素と、
からなる。
【００３８】
さらに、前記雄型伸縮自在要素のそれぞれは、好適には、スプラインシャフトからなり、前記雌型伸縮自在要素のそれぞれは、好適には、関連する前記連結部材を構成する前記連結リングと一体の溝付きスリーブからなる。
【００３９】
本発明の他の目的、特徴および効果については、非限定的な例として提供された２つの好ましい実施形態についての、以下の詳細な説明から、添付図面を参照することにより、明らかにされる。
【図面の簡単な説明】
【００４０】
【図１】本発明による連結装置の第１の実施形態を備える、きわめて概略的に表わされた農業用トラクタと農業用作業機の概略斜視図である。
【図２】第１の実施形態の連結装置の斜視図であり、農業用トラクタは示されていない。
【図３】第１の実施形態のヒッチフレームの斜視図であり、該ヒッチフレームは、その伝達手段を備え、きわめて概略的に表わされたトラクタの牽引システムに取り付けられている。
【図４】第１の実施形態の被ヒッチフレームの斜視図であり、被ヒッチフレームは、その伝達手段を備え、きわめて概略的に表わされた農業用作業機に取り付けられている。
【図５】第１の実施形態のヒッチフレームの斜視図である。
【図６】第１の実施形態の被ヒッチフレームの斜視図である。
【図７】第１の実施形態のヒッチ装置の連結部材のうちの、支持ブロックおよび相対並進手段についての、前記連結部材の係合位置における、いくつかの要素が非透視ないしは透視として表されている、斜視図である。
【図８】第１の実施形態のヒッチフレームの連結部材斜視図である。
【図９】第１の実施形態の被ヒッチフレームの連結部材の斜視図である。
【図１０】第１の実施形態によるヒッチフレームの伝達手段の斜視図である。
【図１１】第１の実施形態によるヒッチフレームの伝達手段の斜視図である。
【図１２】第１の実施形態のヒッチフレームの伝達手段の連結部材の支持ブロックの斜視図である。
【図１３】前記伝達手段の外側芯出しコーンを分離した状態で示す斜視図である。
【図１４】第１の実施形態による被ヒッチフレームの伝達手段の斜視図である。
【図１５】第１の実施形態による被ヒッチフレームの伝達手段の斜視図である。
【図１６】第１の実施形態による被ヒッチフレームの伝達手段の連結部材の支持ブロックを表す斜視図である。
【図１７】第１の実施形態による被ヒッチフレームの伝達手段の連結部材の支持ブロックを表す個の斜視図である。
【図１８】第１の実施形態のヒッチ装置を備えた、きわめて概略的に表わされた農業用トラクタと農業用作業機の３点ヒッチシステムの第１位置での縦断面図である。
【図１９】第１の実施形態のヒッチ装置を備えた、きわめて概略的に表わされた農業用トラクタと農業用作業機の３点ヒッチシステムの第２の位置での縦断面図である。
【図２０】第１の実施形態のヒッチ装置を備えた、きわめて概略的に表わされた農業用トラクタと農業用作業機の３点ヒッチシステムの第３位置での縦断面図である。
【図２１】第１の実施形態のヒッチフレームと被ヒッチフレームについてのペア位置にある部分平面図であり、３点ヒッチシステムの揺動中の連結された伝達手段を表わす。
【図２２】本発明の第２の実施形態のヒッチ装置のヒッチフレームの斜視図である。
【図２３】本発明の第２の実施形態のヒッチ装置の被ヒッチフレームの斜視図である。
【図２４】第２の実施形態によるヒッチフレームの伝達手段の一方側の斜視図である。
【図２５】第２の実施形態によるヒッチフレームの伝達手段の他方側の斜視図である。
【図２６ａ】第２の実施形態による被ヒッチフレームの伝達手段の一方側の斜視図であり、いくつかの要素は表れていない。
【図２６ｂ】図２６ａの拡大詳細図である。
【図２７】第２の実施形態による被ヒッチフレームの伝達手段の他方側の斜視図であり、いくつかの要素は表れていない。
【発明を実施するための形態】
【００４１】
以下の説明では、直交座標系（ｘ，ｙ，ｚ）は、特許請求の範囲および本明細書の背景技術で定義された座標系に対応し、フレームの接合面が垂直平面内にある位置に対して規定された座標系を意味する。したがって、特に、垂直、水平および横断という用語は、この直交座標系を基準として使用される。
【００４２】
さらに、説明の簡潔さと明瞭さのために、本発明のヒッチ装置は、以下、地上に静置された農業用トラクタ、および、農業用作業機に固定されている状態で説明され、下側や上側などの用語は、この位置を基準に使用される。さらに、前と後という用語は、トラクタの前方移動方向に対して使用される。
【００４３】
図に例示されているヒッチ装置は、被駆動軸４を備えた農業用作業機３を、動力取出部２を備えた農業用トラクタ１の３点ヒッチシステム５につなぐための装置からなり、農業用トラクタ、農業用作業機、および牽引システムは、図１〜図４と、図１８〜図２０においてきわめて概略的に表わされている。したがって、特に牽引システムに関しては、該牽引システムを本発明によるヒッチ装置につなぐための要素、すなわち、２本の横方向下側アーム６と、たとえば、液圧シリンダ７からなる中央上側アームのみが示されている。
【００４４】
最初に、図１〜図２１に表わされたヒッチ装置は、農業用トラクタ１の牽引システム２に取り付けられるように構成されたヒッチフレーム８と、２本の横方向下側アーム１０と１本の中央上側アーム（図示せず）によって農業用作業機３に取り付けられるように構成された被ヒッチフレーム９とを備え、これらのフレームは、
これらのフレームが連結されるヒッチ位置でフレームをロック状態に維持するように構成されたロック手段と、
農業用作業機３の被駆動軸４を農業用トラクタ１の動力取出部２につなぐための伝達手段と、
を備える。
【００４５】
最初に、図５に詳細に示すように、ヒッチ装置のヒッチフレーム８は、概略台形状であり、ヒッチ装置の被ヒッチフレーム９と接触するための平坦な前面８ａを備える。このヒッチフレーム８は、前板（図示せず）で覆われることが意図されており、２本の直立材１２の下側端の間に延在する下側横架材１１と、直立材１２の上側端の間に延在する上側横架材１３とからなる機械的溶接構造物からなる。
【００４６】
さらに、上側横架材１３は、横断ウェブ１４ｂによって接合された２個の縦方向フランジ１４ａによって構成された中央クレビス１４と、縦方向フランジ１４ａのそれぞれから延在する筒状バーにより構成された端部１５からなる３個の部分に分けられる。
【００４７】
さらに、中央クレビス１４の２個のフランジ１４ａの高さは、筒状バー１５の高さより大きく、したがって、筒状バー１５の上側面から延在する表面部を有し、フランジ１４ａにはそれぞれ、牽引システム５の中央アーム７の受け部材を構成する横断シャフトを収容するための対向孔１６が設けられている。
【００４８】
さらに、この上側横架材１３の筒状バー１５の１本は、液圧シリンダ（図示せず）を収容しており、この液圧シリンダは、筒状バー１５の中央端面を塞ぐフランジ１４ａに設けられた孔１７を介して、クレビス１４内に、そのロッドを前進できるように配置される。
【００４９】
２本の直立材１２について述べると、直立材１２は、ヒッチフレーム８に台形形状を付与する長手断面における角度で曲げられた、２本の平行な平坦バー１８、１９からなる。平坦バー１８、１９の上側部分の実質的に３分の２がブレース２０によって接続されており、その結果、直立材１２にＨ形断面が付与されている。
【００５０】
さらに、これらの直立材１２のそれぞれのブレース２０がない下側部に、２本の平坦バー１８、１９の間に延在するシャフト２１を収容して、牽引システム５のそれぞれの下側アーム６のためのヒッチフレーム８の捕捉部材を構成する。
【００５１】
このヒッチフレーム８は、さらに、平坦な上側接触面２２ａを備えた２個のベースプレート２２を有し、それぞれのベースプレート２２は、直立材１２の平坦バー１８、１９の下側端の間に収容かつ固定されて、下側横架材１１の拡張部を構成している。
【００５２】
ヒッチフレーム８は、また、２本の位置決めピン２３、２４を有し、それぞれの位置決めピン２３、２４は、ベースプレート２２の平坦な接触面２２ａから突出し、それぞれ半球形部分と該半球形部分から延在する円筒形基部とを備える。
【００５３】
ヒッチフレーム８は、さらに、下側横架材１１と上側横架材１３の間に延在する２本の平行垂直レール２５、２６を備え、これらのレール２５、２６は、後述するローラホイール用の対向ガイドチャネル２６ａを備える。
【００５４】
最後に、このヒッチフレーム８は、ヒッチフレーム８の前面に、２本の垂直管２７を備え、この垂直管２７はそれぞれ、ガイドレール２５、２６と平行になるようにガイドレール２５、２６に接合され、かつ、その長さ方向の実質的に半分において、上側端から延在する対向長手方向スロット２８を備える。
【００５５】
図６に詳細に示すように、牽引装置の被ヒッチフレーム９は、概略台形状であり、ヒッチ装置のヒッチフレーム８と接触するための平坦な前面９ａを備える。この被ヒッチフレーム９は、２本の直立材３１の下側端の間に延在する下側横架材３０と、直立材３１の上側端の間に延在する上側横架材３２で構成された機械的溶接構造物からなる。
【００５６】
この上側横架材３２は、中央横断板３３とその両側に延在する筒状バー３４の３個の区分に分けられる。
【００５７】
中心板３３は、農業用作業機３に接続するための中央上側アームの端部に被ヒッチフレーム９を取り付けるための、垂直スリットが延在する取り付け板３５に対する、取り付けブラケットとして機能する。
【００５８】
農業用作業機３を接続するために、この結合板３５の後部３６には、中央上側アームに備えられた取り付けシャフトを収容するための垂直スロット３７が形成されている。
【００５９】
結合板３５は、ヒッチフレーム８のクレビス１４に嵌合可能に構成された前部３８を備える。前部３８には２個のフレーム８、９がペア位置にあるときに孔１７と一致するように配列された孔３８ａが形成されており、ヒッチフレーム８の上側横架材１３の筒状バー１５の１個に収容された液圧シリンダのロッドの前進によって、これらのフレーム８、９が相対的に係止されるようになっている。
【００６０】
被ヒッチフレーム９の２本の直立材３１は、ヒッチフレーム８の直立材１２と類似しており、被ヒッチフレーム９に台形形状を付与する長手断面における角度で曲げられた、２本の平行な平坦バーからなる。平坦バーの上側部の実質的に３分の２がブレースによって接続されており、その結果、直立材３１にＨ形断面が付与されている。
【００６１】
さらに、これらの直立材３１のそれぞれのブレースがない下側部分には、２本の平坦バーの間に延在する２本の重なりシャフト３９、４０が収容されており、シャフト３９、４０は、直立材３１の幅に対応する移動距離だけ、シャフト３９、４０に沿って移動するように配置された、スライダ４１用のガイドロッドを構成する。
【００６２】
それぞれのスライダ４１は、被ヒッチフレーム９を下側アーム６の一方の端部に固定するための取り付け部を構成し、この接続のために、スライダ４１には、下側アームに備えられた取り付けシャフトを収容するための孔４２が形成されている。
【００６３】
被ヒッチフレーム９は、平らな下側接触面４３ａを備えた２個のベースプレート４３、４４を備え、それぞれのベースプレート４３、４４は、直立材３１の平坦バー１８、１９の下側端の間に収容かつ固定されおり、これにより、下側横架材３０が拡張されている。
【００６４】
これらのベースプレート４３、４４はそれぞれ、位置決めピン２３、２４の基部と嵌合する直径を有する丸孔４５が穿孔されており、接触面４３ａには皿孔（図示せず）が設けられている。
【００６５】
ヒッチフレーム８と同様に、被ヒッチフレーム９は、さらに、下側横架材３０と上側横架材３２の間に延在する２本の平行な垂直レール４６、４７を備える。垂直レール４６、４７は、後述するローラホイール用の対向ガイドチャネル４７ａを備える。
【００６６】
被ヒッチフレーム９の後部には、２本の垂直管４８が備えられる。この垂直管４８はそれぞれ、ガイドレール４６、４７と平行になるようにガイドレール４６、４７に接合され、その長さ方向の実質的に半分において、その上側端から延在する対向長手方向スロット４９を備える。
【００６７】
このヒッチ装置の伝達手段について述べると、伝達手段は、ヒッチフレーム８と被ヒッチフレーム９にそれぞれ取り付けられた相補的連結部材と、該連結部材を農業用トラクタ１の動力取出部２と農業用作業機３の被駆動軸４にそれぞれ接続するための伝達要素とを有する。
【００６８】
最初に、連結部材５０、５１は、噛み合いクラッチによって互いに連結する部材からなる。
【００６９】
これらの連結部材５０、５１はそれぞれ、前面５２ａ、５３ａを有する連結リング５２、５３を備え、前面５２ａ、５３ａには、切り欠きにより離間された結合歯が、通常の方法により形成されている。連結リング５２、５３はそれぞれ、径方向肩部５４ａ、５５ａにより管状シャフト５４、５５から分けられ、かつ、管状シャフト５４、５５よりも大きい直径を有する端部を備える。
【００７０】
さらに、これらの連結部材５０、５１には、たとえば星形断面を有する溝付きボア５６、５７が形成されており、伸縮自在伝達シャフト５８、５９の雌型要素を構成する。一方、雄型要素は、農業用トラクタ１の動力取出部２と農業用作業機３の被駆動軸４とにそれぞれ接続するための、自在継手６２、６３を備えたスプラインシャフト６０、６１が、雄型要素を構成する。
【００７１】
さらに、被ヒッチフレーム９と連結された連結部材５１のボア５７は、連結リング５３の前面５３ａと隣接する場所に、円筒形状の端部１３１を備え、この端部１３１は、円錐台形部１３０によってボア５７の溝部に接続されている。端部１３０、１３１は、後述する芯出し部材を収容するように構成されている。
【００７２】
このように、伝達手段は、フレーム８、９ごとに、
伝達シャフト５８、５９の伸縮自在雄型要素を構成する、自在継手６２、６３をそれぞれ備えたスプラインシャフト６０、６１と、
それぞれ単一部品である連結部材５０、５１であって、伝達シャフト５８、５９の雌型伸縮自在要素をそれぞれ構成する管状シャフト５４、５５と、該伝達手段の噛合クラッチ連結部材をそれぞれ構成する連結リング５２、５３とからなる連結部材５０、５１とを備える。
【００７３】
連結部材は、また、自在継手６２、６３間の角度を一致させるように構成されたフールプルーフシステムを備える。本例では、このフールプルーフシステムは、
ヒッチフレーム８の連結部材５０に設けられた、径方向両側に配置され、他の歯６６の長さよりも大きく、かつ、同一長さを有する２個の歯６４、６５と、
被ヒッチフレーム９の連結部材５１に設けられた、径方向の両側に配置され、２個のフールプルーフ歯６４、６５と嵌合可能な長さを有し、かつ、他の切り欠き６９の長さよりも大きい、２個の切り欠き６７、６８と、
からなる。
【００７４】
さらに、歯６４〜６６と切り欠き６７〜６９は、通常、係合状態で回転中に連結部材５０、５１の分離を防ぐようにテーパとアンダーカットを組み合わせて構成された側面を有する。
【００７５】
さらに、歯６４〜６６は、対向する連結部材５１の切り欠き６７〜６９に歯６４〜６６を挿入しやすいように面取りされた径方向縁部を有する。
【００７６】
これらの連結部材５０、５１は、
農業用作業機３の被駆動軸４を回転させるために長手軸（ｘ）のまわりを自由に回転可能で、
離脱位置と係合位置の間で互いに対して長手軸（ｘ）に沿って並進可能で、
本発明により、垂直軸（ｚ）と横軸（ｙ）に沿って並進可能で、かつ、横軸（ｙ）と垂直軸（ｚ）のまわりを自由に回転できるように、
フレーム８、９に取り付けられている。
【００７７】
このため、ヒッチフレーム８の連結部材５０は、いわゆる「可動」支持体７０内で長手軸（ｘ）のまわりに自由に回転するように取り付けられ、可動支持体７０は、互いに延在する２個の一体的に固定された要素から構成されている。すなわち、支持体７０は、
管状シャフト５４を収容する長手方向孔が形成されている円筒状スリーブ７２と、この円筒状スリーブ７２から延在し、円筒状スリーブ７２の長手方向孔が開口し、ラジアル軸受を収容するカウンタボアが形成されている後端板７３とを備える第１前側要素７１と、
ねじ７７によって後端板７３に一体的に固定されるように構成され、連結リング５２の直径より大きい直径を有し、その前側取り付け面でカウンタボア７８に開口する丸孔が設けられており、前記カウンタボア７８が、連結リング５２に軸方向に当接するニードル軸受型のスラスト軸受７９を収容し、かつ、ラジアル軸受７４ｄの内輪に対する軸受面を備えるように配置されている、前端板７６と、
連結リング５２を接触することなく取り囲む円筒形環状基部８１を有し、この環状基部８１から芯出しコーン８２が延在し、この芯出しコーン８２が、前記連結部材の係合中に他方の連結部材５１の連結リング５３を外側から案内して芯出しするように構成されている、外側芯出し要素８０と
を一体的に有する、第２後側要素７５と、
からなる。
【００７８】
この可動支持体７０は、連結部材５１のボア５７の端部１３０、１３１と嵌合する形状の内側芯出しコーン８３を備える。この内側芯出しコーン８３は、
連結リング５２内に部分的に内嵌し、連結リング５２の後方延長部内に部分的に載置されるように構成された円筒形前部８４と、
前記連結部材の係合中に他方の連結部材５１の連結リング５３を内側から案内して芯出しし、連結部材５１のボア５７の円筒形端部１３１のための円筒形軸受面を形成するように構成された後方テーパ部８５と、
により一体的に構成されている。
【００７９】
被ヒッチフレーム９の連結部材５１に対するヒッチフレーム８の連結部材５０の長手軸（ｘ）に沿った動きを可能とするために、可動支持体７０は、いわゆる「固定」支持体８６に対して長手軸（ｘ）に沿って並進可能である。
【００８０】
この固定支持体８６は、前側要素７１の円筒状スリーブ７２が摺動するライニングされた長手方向孔が形成された円筒状スリーブ８７と、円筒状スリーブ８７の長手方向孔から延在する丸孔が設けられている後端板８８とから一体的に構成されている。
【００８１】
長手軸（ｘ）に沿って連結部材５０を移動させる手段は、蓄圧器と連結された作動シリンダ８９をからなり、作動シリンダ８９の本体８９ａは、長手軸（ｘ）に沿った固定支持体８６の後端板８８の長手軸（ｘ）に沿った前方延長部を形成するように後端板８８に取り付けられ、作動シリンダのロッド８９ｂは、可動支持体７０の前要素７１の後端板７３に固定されている。
【００８２】
これらの変位手段は、さらに、長手軸（ｘ）に沿って延在する２本のガイドロッド９０、９１を備え、ガイドロッド９０、９１は、可動支持体７０の前側要素７１の後端板７３に接続され、固定支持体８６に対して長手方向に摺動する。
【００８３】
さらに、シリンダ８９と２本のガイドロッド９０、９１は、シリンダ８９の軸が二等辺三角形または正三角形の上側の頂点と一致し、２本のガイドロッド９０、９１のそれぞれの軸がこの二等辺三角形または正三角形の底辺側の頂点と一致するように配置されている。
【００８４】
連結部材５０に垂直軸（ｚ）のまわりの回転に自由度を与えるために、固定支持体８６の後端板８８は、環状ハウジング９４の内部において垂直軸（ｚ）のまわりに自由に回転するように取り付けられている。このため、長手軸（ｘ）に沿って延在する上側と下側の２個の後側長手方向タブ９２および９３が、その一端でこの固定端板８６に固定され、その他端で環状ハウジング９４に対して垂直軸（ｚ）のまわりに枢動するように取り付けられている。
【００８５】
さらに、環状ハウジング９４に横軸（ｙ）のまわりの回転に自由度を与えるために、環状ハウジング９４は、２個の直立材９６、上側横架材９７および下側横架材９８を有するフレーム構造９５内で枢動するように取り付けられている。
【００８６】
この枢動を可能とするために、環状ハウジング９４は、環状ハウジング９４の両側で同軸上に延在し、かつ、フレーム構造９５の対向する直立材９６内に回転可能にそれぞれ取り付けられた２本の外部横断シャフト９９、１００を備える。
【００８７】
さらに、環状ハウジング９４を直立材９６の間の実質的中心位置に維持するために、シャフト９９，１００のまわりに、環状ハウジング９４とフレーム構造９５の直立材９６の間に延在するように、ばね１０１が取り付けられている。
【００８８】
加えて、フレーム構造９５に対して垂直軸（ｚ）に沿った並進に自由度を与えるために、フレーム構造９５は、横軸（ｙ）のまわりに回転し、ガイドレール２５、２６内で動くように構成された４個のローラホイールを備え、２個の上側ローラホイール１０２が、上側レール９７の両側に１個ずつ配置され、２個の下側ローラホイール１０３が、下側レール９８の両側に１個ずつ配置されている。
【００８９】
最後に、ヒッチフレーム８について述べると、ヒッチフレーム８は、ガイドレール２５、２６に沿ってフレーム構造９５を位置決めするための事前位置決め手段を有し、この手段は、
連結部材５０、５１の解放状態で、フレーム構造９５を垂直軸（ｚ）に沿った連結部材５０に関する所定位置に対応する予め定められた位置に維持し、
連結部材５０、５１の係合状態で、弾性変形して連結部材５０の垂直軸（ｚ）に沿った動きを可能にするように配置されている。
【００９０】
これらの事前位置決め手段は、２本の垂直管２７に組み込まれ、シャフト１０４に結合されたロッド１０５ａを有する空気圧シリンダ１０５を備え、シャフト１０４は、ロッド１０５ａをフレーム構造９５の直立材９６の上側端に形成された前側延長部９６ａに接続し、かつ、それぞれの垂直管２７内に形成された垂直スロット２８を貫通する。
【００９１】
これらの事前位置決め手段は、さらに、それぞれの垂直管２７に収容されて、シリンダ１０５の本体１０５ｂを収容するように構成された内径を有する円筒形ケーシング１０６を有し、円筒形ケーシング１０６の上側部１０６ａは、通常の外径より大きい外径を有し、外側径方向肩部を形成している。
【００９２】
これらの事前位置決め手段は、円筒形ケーシング１０６のまわりに配置されたコイルばね１０７と、円筒管２７に挿入して、円筒管２７の底部とばね１０７の下側端の間で延在する所定の長さのスペーサ１０８とを備える。
【００９３】
基本的には、フレーム構造９５の事前位置決めは、スペーサ１０８の長さによって決定される。
【００９４】
被ヒッチフレーム９に連結部材５１を取り付けるための手段は、基本的には、前述の手段と類似しているが、長手軸（ｘ）に沿った連結部材５１の動きがないため単純化される。
【００９５】
すなわち、被ヒッチフレーム９の連結部材５１は、互いの延長部として一体的に固定された２個の要素からなる固定支持体１１０内で、長手軸（ｘ）のまわりを自由に回転するように取り付けられ、その２個の要素は、
管状シャフト５５を収容するように構成されている長手方向孔が形成されている円筒状スリーブ１１２と、この円筒状スリープ１１２から延在し、円筒状スリーブ１１２の長手方向孔が開口するカウンタボアが形成され、かつ、ラジアル軸受１３２を収容する前端板１１３とを備える、第１後側要素１１１と、
前端板１１３に一体的に固定されるように構成されている端板からなり、該端板の取り付け面に、連結リング５３に軸方向に当接するニードル軸受型のスラスト軸受１３３を収容し、かつ、ラジアル軸受１３２の内輪に対する軸受面を備えるカウンタボアを備える、第２前側要素１１４と、
からなる。
【００９６】
連結部材５１に垂直軸（ｚ）のまわりの回転の自由度を与えるために、端板１１３は、環状ハウジング１１５の内側に垂直軸（ｚ）のまわりに自由に回転するように取り付けられている。
【００９７】
さらに、この環状ハウジング１１５に対して横軸（ｙ）のまわりの回転の自由度を与えるために、環状ハウジング１１５は、フレーム構造１１８内で枢動できるように取り付けられるが、このため、２本の外部横方向シャフト１１６を備え、外部横方向シャフト１１６のそれぞれのまわりには、ばね１１７が配置されている。このばね１１７は、環状ハウジング１１５の両側にそれぞれ同軸で延在し、それぞれのシャフト１１６は、フレーム構造１１８の直立材１１９内に回転可能に取り付けられている。
【００９８】
フレーム構造１１８に対して垂直軸（ｚ）に沿った並進の自由度を与えるために、フレーム構造１１８は、横軸（ｙ）のまわりに回転し、ガイドレール４６、４７内で動くように構成された４個のローラホイールを備え、この４個のローラホイールは、２個の上側ローラホイール１２０と２個の下側ローラホイール１２１とからなる。
【００９９】
さらに、この被ヒッチフレーム９は、ガイドレール４６、４７に沿ってフレーム構造１１８を位置決めするための事前位置決め手段を有し、この事前位置決め手段は、ヒッチフレーム８に備えられた事前位置決め手段と同一である。すなわち、この事前位置決め手段は、２個の同一の組立体を備え、それぞれ管４８内に収容され、
コイルばね１２４がまわりに配置された円筒形ケーシング１２３に収容された作動シリンダ１２２と、
異なる長さの１組のスペーサ１２５と、
により構成される。
【０１００】
以下に、このヒッチ装置を使用するヒッチ手順について述べる。
【０１０１】
事前に、ヒッチフレーム８を農業用トラクタ１に取り付け、被ヒッチフレーム９を１個以上の農業用作業機に取り付けた後で、初期ステップを行う。このステップでは、スペーサ１０８によって、ヒッチフレーム８に取り付けられた連結部材５０の垂直軸（ｚ）に沿った初期位置を調整し、次に、スペーサ１２５によって、それぞれの被ヒッチフレーム９の連結部材５１の垂直軸（ｚ）に沿った位置を調整して、２個のフレーム８、９をペアリングさせたときに、連結部材５１が連結部材５０とその位置が一致するようにする。
【０１０２】
このような初期調整が完了した後、連結ステップを行う。この連結ステップでは、農業用トラクタ１を事前位置決めし、次に、ベースプレート２２、４３のそれぞれの接触面２２ａ、４３ａが部分接触するまで、すなわち、位置決めピン２３、２４が対向孔４５に部分的に係合する位置まで、ヒッチフレーム８を上昇させる。
【０１０３】
次のステップは、牽引システム５の中央作動シリンダ７を展開し、２個のフレーム８、９の端面８ａ、９ａが互いに接触するまで、すなわち、ベースプレート２２、４３の対向面２２ａ、４３ａが互いに接触する位置まで、ヒッチフレーム８を傾斜させ、その間、位置決めピン２３、２４はこの際の傾斜のピボットピンとして機能する。
【０１０４】
さらに、２個のフレーム８、９のこの最終的なペア位置で、フックを構成するプレート３５の前部３８をクレビス１４に挿入することにより、横架材１５に収容された作動シリンダを作動させて、フレーム８、９の相対ロックを保証することができる。
【０１０５】
さらに、このペア状態が達成された後、２個の連結部材５０、５１は、それらの位置が垂直軸（ｚ）に沿って初期調整されているので、実質的に同じ高さにある。
【０１０６】
連結は、シリンダ８９を操作することによってなされるが、最初に２個の外側と内側の芯出しコーン８２、８３によって、次に、歯６４〜６６の径方向縁部の面取り形状によって、この連結が容易化される。
【０１０７】
連結され、つながれた後で、図１８〜図２０に示すように、ペア状態のフレーム８、９の連結部材５０、５１に与えられる、垂直軸（ｚ）に沿った並進の自由度と横軸（ｙ）のまわりの回転の自由度によって、トラクタ１に対する作業機３の傾斜角にかかわらず伝達シャフト５８、５９を同軸に維持でき、したがって、連結部材５０、５１／伝達シャフト５８、５９の組立体に、農業用作業機３を農業用トラクタ１の３点ヒッチシステム５に直接つなぐように設計されたヒッチ装置と同じ動きを与えることができる。
【０１０８】
したがって、特に、動力伝達は、相対位置、特にトラクタ１に対する作業機３の傾斜角度に関係なく最適である。
【０１０９】
さらに、特に図２１に示すように、横軸（ｙ）に沿った並進の自由度と垂直軸（ｚ）のまわりの回転の自由度は、フレーム８、９に対する伝達手段の動きの自由を提供し、これにより、前記伝達手段は、農業用トラクタの３点ヒッチシステムが通常受ける横方向の移動と搖動によって起こる応力を受けなくなる。
【０１１０】
図２２〜図２７は、本発明によるヒッチ装置の第２の変形実施形態を示す。以下、第２の変形実施形態について、第１の実施形態と異なる要素についてのみ、詳細に述べる。
【０１１１】
第１の実施形態と同様に、このヒッチ装置は、農業用トラクタ１の牽引システム２に取り付けられるように構成されたヒッチフレーム１５０と、農業用作業機３に取り付けられるように構成された被ヒッチフレーム１５１とを備える。
【０１１２】
最初に、図２２および図２３に示すように、このヒッチ装置のヒッチフレーム１５０と被ヒッチフレーム１５１は、前述の２個のフレーム８、９と類似の概略台形状を有し、２本の直立材１５３、１５４の下側端の間に延在する下側横架材１５２で構成された機械的溶接構造からなり、上側横架材５５は、直立材１５３、１５４の上側端の間に延在する。
【０１１３】
これらの２個のフレーム１５０、１５１をロックする手段は、
ヒッチフレーム１５０に設けられた２個の重なりロックフック１５６、１５７であって、上側横架材１５５内に軸方向に位置決めされた垂直軸１５８のまわりに平行平面（ｘ，ｚ）で回転するように取り付けられ、それらの回転が上側横架材１５５に収容された作動シリンダ１５９によって駆動されるロックフック１５６、１５７と、
被ヒッチフレーム１５１に設けられ、上側横架材１５５内に軸方向に位置決めされた垂直シャフト１６０と、
により構成される。
【０１１４】
さらに、２個のフレーム１５０、１５１をペアリングするために、ヒッチフレーム１５０は、平坦な上側接触面１６１ａを備え、それぞれ円形開口１６２が開けられた２個のベースプレート１６１を有し、ベースプレート１６１はそれぞれ、直立材１５３、１５４の一方の下端の間に位置決めされて、下側横架材１５２の延長部を形成する。
【０１１５】
また、被ヒッチフレーム１５１は、平坦な上側接触面１６３ａを備えた２個のベースプレート１６３を有し、それぞれのベースプレート１６３は、直立材１５３、１５４の一方の下端の間に位置決めされて、下側横架材１５２の延長部を形成する。
【０１１６】
これらのベースプレート１６３はそれぞれ、ベースプレート１６３の平坦な接触面１６３ａの下に突出する位置決めピン１６４を有し、それぞれの位置決めピン１６４は、ヒッチフレーム１５０のベースプレート１６１に形成された円形開口１６２と嵌合する直径の円筒形基部を有し、円筒形基部から半球状部が延在している。
【０１１７】
さらに、２本のフレーム１５０、１５１はそれぞれ、２本の垂直カラム１６５、１６６を有し、垂直カラム１６５、１６６はそれぞれ、直立材１５３、１５４の近くに位置決めされ、下側横架材１５２と上側横架材１５５の間に延在する。
【０１１８】
また、これらの２本のフレーム１５０、１５１はそれぞれ、２本の垂直カラム１６５、１６６に沿って摺動する、すなわち垂直軸（ｚ）に沿って移動できるように、取り付けられたフレーム構造１６７を備え、このフレーム構造１６７は、
カラム１６５、１６６に沿って摺動するように取り付けられ、摺動を可能とするためのスリーブ軸受を実装する２本の直立材１６８、１６９と、
２本の直立材１６８、１６９の上端と下端の間にそれぞれ延在する２個の横架材、すなわち、上側横架材１７１と下側横架材１７２と、
により構成される。
【０１１９】
これらのフレーム構造１６７はそれぞれ、さらに、横架材１７１、１７２に沿って摺動する、すなわち横軸（ｙ）に沿って移動できるように、取り付けられたスリーブ１７３、１７４を備え、スリーブ１７３、１７４は、スリーブ軸受を備え、スリーブ軸受は、スリーブ１７３、１７４の両側にそれぞれ１個ずつ、スリーブと対応する直立材１６８、１６９との間に延在する２個のばね１７５、１７６によって、横架材１７１、１７２の中央位置に維持される。
【０１２０】
さらに、スリーブ１７３、１７４には、垂直シャフト１７８を収容するクレビス１７７がそれぞれのスリーブ１７３、１７４から横方向に延在している。
【０１２１】
フレーム１５０、１５１はそれぞれ、カラム１６５、１６６に沿ってフレーム構造１６７を位置決めするための事前位置決め手段を有する。
【０１２２】
そのような事前位置決め手段は、カラム１６５、１６６のまわりにそれぞれ配置されたコイルばね１７０と、所定の高さのスペーサ（図示せず）とを有し、スペーサは、たとえば、下側横架材１５２とコイルばね１７０の下端の間でカラム１６５、１６６のまわりに配置されたクランプからなる。
【０１２３】
基本的には、フレーム構造１６７の事前位置決めは、単純にスペーサの高さによって決定される。
【０１２４】
フレーム１５０、１５１はそれぞれ、また、実質的に矩形の環状ハウジング１７９を備え、環状ハウジング１７９から、
平面（ｘ、ｙ）内で延在し、スリーブ１７３、１７４の１個のクレビス１７７に収容されるようにそれぞれ構成され、これにより、環状ハウジング１７９に垂直軸（ｚ）のまわりの回転の自由度を付与する、２個の平行フランジ、すなわち、上側フランジ１８０と下側フランジ１８１と、
平面（ｘ、ｚ）内で延在し、横軸（ｙ）方向に伸長する回転軸を構成する対向ピボットピン１８４を備えた、２個の平行な側面フランジ１８２、１８３と、
が延在する。
【０１２５】
このヒッチ装置の連結部材５０、５１は、第１実施形態と同様の噛合クラッチによって連結される部材であり、したがって、それぞれの連結部材５０、５１は、前面５２ａ、５３ａを有する連結リング５２、５３を有し、前面５２ａ、５３ａは、切り欠きによって離隔された結合歯を備え、連結リング５２、５３はそれぞれ、径方向肩部５４ａ、５５ａによって区切られた、管状シャフト５４、５５の大径端部を構成する。
【０１２６】
さらに、これらの連結部材５０、５１にはそれぞれ、たとえば星形断面を有する溝付きボア５６，５７が形成されている。
【０１２７】
図２６ａに示すように、被ヒッチフレーム１５１に取り付けられた連結部材５１は、長尺の自在継手のための調整用スリーブ１８５を備えることができ、調整用スリーブ１８５は、異なる径の２個の同軸スプラインシャフト部からなり、そのうちの一方は、連結部材５１の溝付きボア５７に収容できるように構成された溝付き部を備える。
【０１２８】
上記したように、これらの連結部材５０、５１は、フレーム１５０、１５１に対して、
農業用作業機３の被駆動軸４を回転させるために長手軸（ｘ）のまわりを自由に回転でき、
離脱位置と係合位置の間で、互いに対して長手軸（ｘ）に沿って並進でき、
垂直軸（ｚ）と横軸（ｙ）に沿って並進でき、
横軸（ｙ）のまわりと垂直軸（ｚ）のまわりを自由に回転できるように取り付けられている。
【０１２９】
このため、図２４と図２５に示すように、ヒッチフレーム１５０の連結部材５０は、まず、可動支持体１８６の内側に、長手軸（ｘ）のまわりに自由に回転するように取り付けられる。連結部材５０は、互いの方向に延在する２個の一体的固定要素からなり、これらの２個の要素は、
管状シャフト５４を収容するように構成された長手方向孔が形成され、端板（図示せず）が延在する円筒形スリーブ１８７を備える第１前側要素と、
その基部が連結リング５２の基部を取り囲むように構成されている雌型芯出しコーン１８８を備える、第２後側要素と、
により構成される。
【０１３０】
連結部材５０の長手軸（ｘ）に沿った動きを達成するために、可動支持体１８６は、いわゆる「固定」支持体１８９に対して長手軸（ｘ）に沿って並進できるように構成される。「固定」支持体１８９は、
可動支持体１８６の円筒形スリーブ１８７が内側で摺動するライニングされた長手方向孔が形成されている円筒形スリーブ１９０と、
円筒形スリーブ１８７の長手方向孔から延在する丸孔が形成されている後環状端板１９１と、
により一体的に構成されている。
【０１３１】
連結部材５０を長手軸（ｘ）に沿って移動するための手段は、作動シリンダ１９２を備え、作動シリンダ１９２の本体は、固定支持体１８９の環状端板１９１に取り付けられて、長手軸（ｘ）に沿った環状端板１９１の前側延長部を形成し、そのロッドが、可動支持体１８６の端板に固定されている。
【０１３２】
これらの変位手段は、長手軸（ｘ）に沿って延在する２本のガイドロッド１９３、１９４をさらに備え、ガイドロッド１９３、１９４は、可動支持体１８６の端板に接続され、固定支持体１８９に対して長手方向に摺動する。
【０１３３】
さらに、図２４と図２５に示すように、環状端板１９１は、ピボットピン１８４によって、環状ハウジング１７９に対して枢動可能に取り付けられ、その結果、連結部材５０は、
横軸（ｙ）まわりの回転の自由度と、
環状ハウジング１７９に付与されている、垂直軸（ｚ）まわりの回転の自由度と、
環状ハウジング１７９に付与されている、横軸（ｙ）と垂直軸（ｚ）に沿った並進の自由度と、
を備える。
【０１３４】
図２６ａ、図２６ｂおよび図２７に示すように、ヒッチフレーム１５１の連結部材５１は、まず、管状シャフト５５を収容するように構成された長手方向孔が形成された円筒形スリーブ１９６を有する可動支持体１９５の内側で、長手軸（ｘ）のまわりに自由に回転するように取り付けられ、円筒形スリーブ１９６は、連結リング５３の前側支持のための前端板１９７から延在している。
【０１３５】
この可動支持体１９５も、環状ガイド部品１９８内で摺動するように取り付けられており、この環状ガイド部品１９８は、並進が固定されるとともに、環状ハウジング１７９内にガイド部品１９８を取り付けるために横方向に形成された、径方向の両側に存在する２個の案内孔１９８ａを備える。これらの案内孔１９８ａは、環状ハウジング１７９のピボットピン１８４を収容可能に構成されている。
【０１３６】
さらに、この環状ガイド部品１９８と円筒形スリーブ１９６は、長手方向当接要素（図示せず）を備えており、この長手方向当接要素は、前端板１９７および連結リング５３を環状ガイド部品１９８から離隔させることができる最大位置、すなわち、可動支持体１９５が、円筒形スリーブ１９６のまわりに配置された、前端板１９７と環状ガイド部品１９８の間に装着された、ばね１９９によって付勢される位置を決定する。
【０１３７】
このようにして、連結部材５１は、横軸（ｙ）まわりの回転の自由度と、環状ハウジング１７９に付与される回転と並進の３個の自由度とを備えることができる。
【０１３８】
さらに、ヒッチフレーム１５０の作動シリンダ１９２の展開によって連結部材５０、５１を連結するとき、ばね１９９は、圧縮されて、伝達部材の長さの変動を吸収する緩衝材して機能する。
【０１３９】
図２６ａ、図２６ｂおよび図２７に示すように、被ヒッチフレーム１５１は、連結部材が離脱位置にあるときに、連結部材５１を、長手軸（ｘ）に対して少なくとも実質的に中心の安定位置に維持するための手段を備える。
【０１４０】
そのような維持手段は、可動支持体１９５と環状ガイド部品１９８に対して長手軸（ｘ）に沿って移動可能な組立体を備え、この組立体は、環状ハウジング１７９の両側にそれぞれ配置され、縦方向ブレース２０２、２０３によって接続された、
シリンダ１９２の展開でヒッチフレーム１５０の連結部材５０と関連する雌型芯出しコーン１８８によって押されるように配置された、引き込み式フロントピース２００、２０１と、
連結部材５０、５１が離脱位置にあるときに、環状ハウジング１７９に対して隣接かつ当接し、かつ、可動組立体と可動支持体１９５が環状ハウジング１７９に対して枢動することを防止し、前記連結部材が係合位置にあるときに、可動支持体１９５の枢動を可能にする距離だけ環状ハウジング１７９から離間されるように配置された止め板２０５と、
ブレース２０２、２０３のまわりに配置され、かつ、環状ガイド部品１９８と引き込み式フロントピース２００、２０１の間に装着され、可動組立体を連結部材５１が安定化する位置に向けて付勢し、ヒッチフレーム１５０に取り付けられた連結部材５０が連結部材５０、５１の係合位置まで移動したときに、前記可動組立体の動きを可能にする、ばね２０４と、
を備える。
【０１４１】
さらに、引き込み式フロントピースが、雌型芯出しコーン１８８と嵌合する雄型芯出しコーン２０１からなり、連結部材５０、５１が係合位置にあるときに、可動支持体１９５の端板１９７に当接するように適応された環状板２００と長手方向に隣接して、ばね２０４の作用を打ち消し、ばね１９９がショックアブソーバの役割を果たすことを可能にする。
【０１４２】
最後に、引き込み式フロントピース２００、２０１は、環状板２００内に取り付けられて、環状板２００のボア内に径方向に開いた、ボールプランジャ（図示せず）を備える。
【０１４３】
このようなボールプランジャは、端板１９７と接触して後退する前に、雌型芯出しコーン１８８内に雄型芯出しコーン２０１が適切に嵌合することを保証できる期間、連結部材５０の動きにわずかに抵抗するように設計される。
【０１４４】
したがって、本発明の結合装置は、
平均的技能をもつオペレータが、ドライバ位置を離れることなく、農業用作業機を農業用トラクタの牽引システムにつなぐすべての操作、すなわち、農業用作業機を実際につなぐことと、伝達シャフトの結合を行うことを可能にし、
伝達手段に、農業用作業機３を農業用トラクタ１の３点ヒッチシステム５に直接つなぐように設計されたヒッチ装置と同様の動きを付与し、詳細には、トラクタ１に対する作業機３の相対位置および特に傾斜角度にかかわらず、出力の最適な伝達を保証するように、
構成されている。
【符号の説明】
【０１４５】
１  車両（農業用トラクタ）
２  動力取出部
３  作業機（農業用作業機）
４  被駆動軸
５  ３点ヒッチシステム
６、７  牽引システム
８、１５０  ヒッチフレーム
８ａ  接合面
９、１５１  被ヒッチフレーム
１１  下側横架材
１２、１５３、１５４  直立材
１３  上側横架材
１４  中央クレビス
１４ａ  横断ウェブ
１５、３４  筒状バー
１６  対抗孔
１７  孔
１８、１９  平坦バー
２０  ブレース
２１  シャフト
２２、４３、４４、１６１  ベースプレート
２３、２４  位置決めピン
２５、２６、４６、４７  レール
２７  垂直管
２８  長手方向スロット
３０、１５２  下側横架材
３１  直立材
３２、１５５  上側横架材
３３  中心板
３５  取り付け板
３９、４０  重なりシャフト
４１  スライダ
５０、５１  連結部材
５２、５３  連結リング
５４、５５  管状シャフト
５８、５９  伝達シャフト
６０、６１  スプラインシャフト
６２、６３  自在継手
６４、６５、６６  歯
６７、６８  切り欠き
７０  可動支持体
７１  第１前側要素
７２、８７  円筒状スリーブ
７３、８８  後端板
７４、１３２  ラジアル軸受
７８  カウンタボア
７９、１３３  スラスト軸受
８１  環状基部
８２、８３  芯出しコーン
８６  固定支持体
８９  作動シリンダ
９０、９１  ガイドロット
９４、１１５、１７９  環状ハウジング
９５、１１８、１６７  フレーム構造
９６、１１９、１６８、１６９  直立材
９９、１００  外部横断シャフト
１０１  ばね
１０２、１０３、１２０、１２１  ローラホイール
１０４  シャフト
１０５、１２２  シリンダ
１０６、１２３  円筒形ケーシング
１０７、１２４  ばね
１０８、１２５  スペーサ
１１０  固定支持体
１１１  第１後側要素
１１２  円筒状スリーブ
１１３  前端板
１１６  外部横方向シャフト
１１７  ばね
１５６、１５７  ロックフック
１５８  垂直軸
１６０  垂直シャフト
１６５、１６６  垂直カラム
１７１、１７２  横架材
１７３、１７４  スリーブ
１７５、１７６  ばね
１７７  クレビス
１８０、１８１、１８２、１８３  フランジ
１８４  ピボットピン
１８５  調整用スリーブ
１８６、１９５  可動支持体
１８７、１９０、１９６  円筒形スリーブ
１８９  固定支持体
１９１  環状端板
１９２  作動シリンダ
１９３、１９４  ガイドロット
１９７  前端板
１９８  環状ガイド部品
１９９  ばね
２００、２０１  引き込み式フロントピース
２０２、２０３  縦方向ブレース
２０５  止め板
【図１】
2017506902.tif 000003
【図２】
2017506902.tif 000004
【図３】
2017506902.tif 000005
【図４】
2017506902.tif 000006
【図５】
2017506902.tif 000007
【図６】
2017506902.tif 000008
【図７】
2017506902.tif 000009
【図８】
2017506902.tif 000010
【図９】
2017506902.tif 000011
【図１０】
2017506902.tif 000012
【図１１】
2017506902.tif 000013
【図１２】
2017506902.tif 000014
【図１３】
2017506902.tif 000015
【図１４】
2017506902.tif 000016
【図１５】
2017506902.tif 000017
【図１６】
2017506902.tif 000018
【図１７】
2017506902.tif 000019
【図１８】
2017506902.tif 000020
【図１９】
2017506902.tif 000021
【図２０】
2017506902.tif 000022
【図２１】
2017506902.tif 000023
【図２２】
2017506902.tif 000024
【図２３】
2017506902.tif 000025
【図２４】
2017506902.tif 000026
【図２５】
2017506902.tif 000027
【図２６ａ−２６ｂ】
2017506902.tif 000028
【図２７】
2017506902.tif 000029
【国際調査報告】
2017506902.tif 000030
2017506902.tif 000031
2017506902.tif 000032
2017506902.tif 000033
2017506902.tif 000034
2017506902.tif 000035